【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
不飽和樹脂成型組成物であって、
相分離を防止する添加剤と、
５０，０００ｇ／ｍｏｌよりも高い数平均分子量を有し、および前記組成物中に分散された相として存在すると特徴付けられる、低収縮用の付加重合ポリマー（Ｄ）と、
ラジカル共重合性不飽和樹脂と、
重合性不飽和モノマーと
を含み、
相分離を防止する前記添加剤が、式：
Ｒ１−（ＯＣδＨ２δ）ｘ−（ＯＣＨ２ＣＨ２）ｙ−Ｗ−Φ−ＣＯＯＨ
の官能化ポリエーテルと、分子当たり少なくとも３個の第１級および／または第２級アミン基を有し１００から１００，０００ｇ／ｍｏｌの数平均分子量を有するアミン系多塩基種との反応生成物を含み、前記Ｒ１−（ＯＣδＨ２δ）ｘ−（ＯＣＨ２ＣＨ２）ｙ−Ｗ−Φ−ＣＯＯＨ：アミン系多塩基種の重量比が１０：１から６０：１であり、
式中、
Ｒ１は、環状、分枝状、または非分枝状のアルキル；アリール；アルキルアリールまたはアリールアルキルであってよいＣ１〜Ｃ３６ヒドロカルビル基であり、
δは、３および／または４であり、
ｘは、１０〜６０であり、
ｙは、０〜１０であり、
−（ＯＣδＨ２δ）および−（ＯＣＨ２ＣＨ２）繰り返し単位は、ランダムまたはブロック状などの任意の順序であってよく、ｙはｘ未満でなければならず、
Ｗは、１〜４個の炭素原子のヒドロカルビレンを含んでいてもよい、エステル、イミド、またはアミド連結基であり、
Φは、６〜１０個の炭素原子のアリール基であり、前記アリール基は、１〜４個の炭素原子の直鎖状もしくは分枝状アルキル鎖、ハロゲン化物、および／または−ＮＯ２を含む置換基（単数または複数）を有していてもよい、
不飽和樹脂成型組成物。
【請求項２】
Ｗは、１個の炭素原子のヒドロカルビレンを含む、エステル、イミド、またはアミド連結基である、請求項１に記載の不飽和樹脂組成物。
【請求項３】
前記Ｒ１−（ＯＣδＨ２δ）ｘ−（ＯＣＨ２ＣＨ２）ｙ−Ｗ−Φ−ＣＯＯＨ対前記アミン系多塩基種の前記重量比が、１５：１から５０：１である、請求項１に記載の不飽和樹脂組成物。
【請求項４】
前記アミン系多塩基種が、１４０から７５，０００ｇ／ｍｏｌの数平均分子量を有する、請求項１から３のいずれかに記載の不飽和樹脂組成物。
【請求項５】
ｘが１０から４０である、請求項１から４のいずれかに記載の不飽和樹脂組成物。
【請求項６】
Ｗがエステル連結を含む、請求項１から５のいずれかに記載の不飽和樹脂組成物。
【請求項７】
Ｗがイミド連結を含む、請求項１から５のいずれかに記載の不飽和樹脂組成物。
【請求項８】
前記アミン系多塩基種が、１４０から２０，０００ｇ／ｍｏｌの数平均分子量を有する、請求項１から７のいずれかに記載の不飽和樹脂組成物。
【請求項９】
前記ラジカル共重合性不飽和樹脂が、不飽和ポリエステルまたはビニルエステル樹脂である、請求項１から８のいずれかに記載の不飽和樹脂組成物。
【請求項１０】
前記低収縮添加剤が、スチレンホモポリマー、またはスチレンモノマーから誘導された少なくとも３３ｗｔ％の繰り返し単位を有するコポリマーである、請求項１から９のいずれかに記載の不飽和樹脂組成物。
【請求項１１】
前記アミン系多塩基種が、ポリエチレンイミンである、請求項１から１０のいずれかに記載の不飽和樹脂組成物。
【請求項１２】
ラジカル共重合性不飽和樹脂：重合性不飽和モノマーの重量比が、３０〜９０：１０〜７０である、請求項１から１１のいずれかに記載の不飽和樹脂組成物。
【請求項１３】
前記組成物が、前記不飽和樹脂成型組成物の全重量に対して、少なくとも３ｗｔ％の細断された、織られた、または巻かれた繊維をさらに含む、請求項１から１２のいずれかに記載の不飽和樹脂組成物。
【請求項１４】
請求項１から１３のいずれかに記載の不飽和樹脂組成物を含む、前記不飽和モノマーが重合され前記不飽和樹脂が架橋された、成型後の成型物品。
【請求項１５】
相分離を防止する前記添加剤の量が、前記不飽和樹脂および不飽和モノマーの総量１００重量部に対して０．５から５重量部の範囲内にある、請求項１から１３のいずれかに記載の不飽和樹脂組成物。
【請求項１６】
式
Ｒ１−（ＯＣδＨ２δ）ｘ−（ＯＣＨ２ＣＨ２）ｙ−Ｗ−Φ−ＣＯＯＨ
の官能化ポリエーテルとアミン系多塩基種との反応生成物である、相分離を防止する前記添加剤が、モノもしくはポリカルボン酸、鉱酸、リンおよびポリオキソメタレートを含有する酸または強酸の群から選択される酸種との塩形成反応によってさらに官能化される１つまたは複数の未反応のアミノ基を含む、請求項１から１３および１５のいずれかに記載の不飽和樹脂組成物。
【手続補正２】
【補正対象書類名】明細書
【補正対象項目名】０１０６
【補正方法】変更
【補正の内容】
【０１０６】
本発明について、その好ましい実施形態に関連して説明してきたが、本明細書を読むことによってそれらの様々な改変が当業者に明らかになることを理解されたい。したがって、本明細書に開示される本発明は、添付される特許請求の範囲内に包含されるような改変を包含するものであることを理解されたい。
一実施形態において、例えば、以下の項目が提供される。
（項目１）
不飽和樹脂成型組成物であって、
相分離を防止する添加剤と、
５０，０００ｇ／ｍｏｌよりも高い数平均分子量を有し、および前記組成物中に分散された相として存在すると特徴付けられる、低収縮用の付加重合ポリマー（Ｄ）と、
ラジカル共重合性不飽和樹脂と、
重合性不飽和モノマーと
を含み、
相分離を防止する前記添加剤が、式：
Ｒ１−（ＯＣδＨ２δ）ｘ−（ＯＣＨ２ＣＨ２）ｙ−Ｗ−Φ−ＣＯＯＨ
の官能化ポリエーテルと、分子当たり少なくとも３個の第１級および／または第２級アミン基を有し１００から１００，０００ｇ／ｍｏｌの数平均分子量を有するアミン系多塩基種との反応生成物を含み、前記Ｒ１−（ＯＣδＨ２δ）ｘ−（ＯＣＨ２ＣＨ２）ｙ−Ｗ−Φ−ＣＯＯＨ：アミン系多塩基種の重量比が１０：１から６０：１であり、
式中、
Ｒ１は、環状、分枝状、または非分枝状のアルキル；アリール；アルキルアリールまたはアリールアルキルであってよいＣ１〜Ｃ３６ヒドロカルビル基であり、
δは、３および／または４であり、
ｘは、１０〜６０であり、
ｙは、０〜１０であり、
−（ＯＣδＨ２δ）および−（ＯＣＨ２ＣＨ２）繰り返し単位は、ランダムまたはブロック状などの任意の順序であってよく、ｙはｘ未満でなければならず、
Ｗは、１〜４個の炭素原子、特に１個の炭素原子のヒドロカルビレンを任意選択で含んでいてもよい、エステル、イミド、または任意選択でアミド連結基であり、
Φは、６〜１０個の炭素原子のアリール基であり、前記アリール基は、１〜４個の炭素原子の直鎖状もしくは分枝状アルキル鎖、ハロゲン化物、および／または−ＮＯ２を含む置換基（単数または複数）を任意選択で有していてもよい、
不飽和樹脂成型組成物。
（項目２）
前記Ｒ１−（ＯＣδＨ２δ）ｘ−（ＯＣＨ２ＣＨ２）ｙ−Ｗ−Φ−ＣＯＯＨ対前記アミン系多塩基種の前記重量比が、１５：１から５０：１である、項目１に記載の不飽和樹脂組成物。
（項目３）
前記アミン系多塩基種が、約１４０から約７５，０００ｇ／ｍｏｌの数平均分子量を有する、項目１または２に記載の不飽和樹脂組成物。
（項目４）
ｘが１０から４０である、前記項目のいずれかに記載の不飽和樹脂組成物。
（項目５）
Ｗがエステル連結を含む、項目１から４のいずれかに記載の不飽和樹脂組成物。
（項目６）
Ｗがイミド連結を含む、項目１から４のいずれかに記載の不飽和樹脂組成物。
（項目７）
前記アミン系多塩基種が、約１４０から約２０，０００ｇ／ｍｏｌの数平均分子量を有する、前記項目のいずれかに記載の不飽和樹脂組成物。
（項目８）
前記ラジカル共重合性不飽和樹脂が、不飽和ポリエステルまたはビニルエステル樹脂である、前記項目のいずれかに記載の不飽和樹脂組成物。
（項目９）
前記低収縮添加剤が、スチレンホモポリマー、またはスチレンモノマーから誘導された少なくとも３３ｗｔ％の繰り返し単位を有するコポリマーである、前記項目のいずれかに記載の不飽和樹脂組成物。
（項目１０）
前記アミン系多塩基種が、ポリエチレンイミンである、前記項目のいずれかに記載の不飽和樹脂組成物。
（項目１１）
ラジカル共重合性不飽和樹脂：重合性不飽和モノマーの重量比が、３０〜９０：１０〜７０である、前記項目のいずれかに記載の不飽和樹脂組成物。
（項目１２）
前記組成物が、前記不飽和樹脂成型組成物の全重量に対して、少なくとも３ｗｔ％の細断された、織られた、または巻かれた繊維をさらに含む、前記項目のいずれかに記載の不飽和樹脂組成物。
（項目１３）
前記項目のいずれかに記載の不飽和樹脂組成物を含む、前記不飽和モノマーが重合され前記不飽和樹脂が架橋された、成型後の成型物品。
（項目１４）
相分離を防止する前記添加剤の量が、前記不飽和樹脂および不飽和モノマーの総量１００重量部に対して約０．５から約５重量部の範囲内にある、項目１から１２のいずれかに記載の不飽和樹脂組成物。
（項目１５）
式
Ｒ１−（ＯＣδＨ２δ）ｘ−（ＯＣＨ２ＣＨ２）ｙ−Ｗ−Φ−ＣＯＯＨ
の官能化ポリエーテルとアミン系多塩基種との反応生成物である、相分離を防止する前記添加剤が、モノもしくはポリカルボン酸、鉱酸、リンおよびポリオキソメタレートを含有する酸または強酸の群から選択される酸種との塩形成反応によってさらに官能化されるの１つまたは複数の未反応のアミノ基を含む、項目１から１２および１４のいずれかに記載の不飽和樹脂組成物。